(57)【要約】【課題】自宅等で着用して足指の間を確実に広げて足を十分にリラックスさせるとともに外反母趾を予防する。【解決手段】足被覆具１００は、爪先と踵を含む足底とを少なくとも被覆し、伸縮性生地で構成された、足底部１０４、側辺部１０２Ｂ、踵部１０２Ｃおよび爪先を覆う爪先部１０２Ａで形成され、爪先部１０２Ａは、爪先側が開口しているとともに、少なくとも第１足指（親指）を他の足指から分離して保持する第１足指保持部１２２と、第１足指と第２足指との間に位置する硬い指しきり部１３２とを備える。この指しきり部１３２は、足甲から爪先へ向けて幅が広くなる略三角柱の形状を備え、指しきり部１３２は、非着用時の平面視において、指しきり部１３２の爪先側の幅である略三角形の底辺の長さＷ（２）は第１足指保持部１２２の幅Ｗ（１）に対して５０％以上である。【選択図】図２
2020078444.tif 000002
【特許請求の範囲】
【請求項１】
爪先と踵を含む足底とを少なくとも被覆する足被覆具であって、
前記足被覆具は、伸縮性生地で構成された、足底部、側辺部、踵部および前記爪先を覆う爪先部で形成され、
足を出し入れするための開口部を、前記足底部に対して上下反対側に設け、
前記爪先部は、爪先側が開口しているとともに、少なくとも第１足指（親指）を他の足指から分離して保持する第１足指保持部と、前記第１足指と第２足指との間に位置する前記伸縮性生地よりも硬い指しきり部とを備え、
前記指しきり部は、足甲から爪先へ向けて幅が広くなる略三角柱の形状を備え、
前記指しきり部は、非着用時の平面視において、前記指しきり部の爪先側の幅である略三角形の底辺の長さは前記第１足指保持部の幅に対して５０％以上であることを特徴とする足被覆具。
【請求項２】
前記足底部は、前記足底部の肌当接側に、肌側に膨らんだ弾性部材を備え、
前記足被覆具は、足裏側から足甲側までに至る足の横断面を一周するように前記伸縮性生地よりも伸びにくい緊締部材をさらに備えることを特徴とする、請求項１に記載の足被覆具。
【発明の詳細な説明】
【技術分野】
【０００１】
本発明は、自宅等で着用して足をリラックスさせることのできる足被覆具に関し、特に、着用すると足指を開放したり足裏を刺激したりして足を十分にリラックスさせることのできる足被覆具に関する。また、本発明は、外反母趾を予防する足被覆具に関する。なお、本発明に係る足被覆具は、足の少なくとも一部を被覆する足被覆具であればよく、ソックス（靴下）、ソックスカバー、インナーソックス、ヌードソックス、カバーソックス等も含む。
【背景技術】
【０００２】
パンプス等を履いて自宅等から外出すると、踵が高く甲幅が狭いパンプスの靴等では足指に荷重がかかるとともに靴内部にほとんど隙間がなく足全体が靴とほぼ密着するため、このようなパンプスの靴等を履いていると、足指が蒸れたり、荷重により足指が圧迫されたりする。そこで、靴を脱いで自宅等の中でリラックスするのに適した靴下として、足指に対して通気性の良い靴下や、圧迫された指先の間を広げることができる靴下が近年提案されている。
【０００３】
たとえば、実用新案登録第３１８６４２７号公報（特許文献１）は、ソックス着用者の好みに応じて、足指に対する通気性および保温性を選択的に得ることができ、かつ、意匠性にも優れたソックスを開示する。この特許文献１に開示されたソックスは、先端が開口されており、着用時に前記開口から足指が露出するように構成されたソックスであって、前記先端には、前記足指を被覆するとともに前記開口を閉塞するカバー体が、取り外しおよび装着自在に設けられたことを特徴とし、前記開口には、前記足指の間に挿入される指仕切部が設けられていることを特徴とする。
【先行技術文献】
【特許文献】
【０００４】
【特許文献１】実用新案登録第３１８６４２７号公報
【発明の概要】
【発明が解決しようとする課題】
【０００５】
ところで、特許文献１に開示されたソックスの指仕切部については、「指仕切部４は、開口５に設けられており、足指ｔの各指間に挿入されるものであって、指仕切部４の幅分、各指間を広げることができる」としか記載されていない（特許文献１の第００２４段落および第００３３段落）。この特許文献１に開示されたソックスは、ソックス着用者の好みに応じて、足指に対する通気性および保温性を選択的に得ることができ、かつ、意匠性にも優れたソックスを提供することを目的とする。この目的のために、このソックスは、先端が開口され足指を露出させ、その先端に足指を被覆するとともに開口を閉塞するカバー体が設けられている。そして、通気性を優先する場合にはこのカバー体により足指を被覆することなく、保温性を優先する場合にはカバー体により足指を被覆する。
【０００６】
しかしながら、保温性を優先する場合には指仕切部の幅分だけ各指間を広げた足指をカバー体により被覆する必要があるために、指仕切部の幅を大きくすると大きく広がった足指をカバー体により被覆することができなくなるので、指仕切部の幅は必然的に小さくせざるを得ない。これでは、カバー体自体の伸縮性によりカバー体を被覆するときに広がるとしても限界があるので、指仕切部の小さな幅分しか各指間を広げることしかできない。このため、踵が高く甲幅が狭いパンプスの靴等を履くことによって指間が圧迫されていた場合に着用して指間を広げてリラックスすることができるとは到底考えられない。
【０００７】
本発明は、従来技術の上述の問題点に鑑みて開発されたものであり、その目的とするところは、踵が高く甲幅が狭い靴を履くことによって指間が圧迫されていても、指間を確実に広げたり足裏を刺激したりして足を十分にリラックスすることのできる足被覆具を提供することを目的とする。また、本発明は、外反母趾を予防する足被覆具を提供することを目的とする。
【課題を解決するための手段】
【０００８】
上記目的を達成するため、本発明に係る足被覆具は以下の技術的手段を講じている。
すなわち、本発明に係る足被覆具は、爪先と踵を含む足底とを少なくとも被覆する足被覆具であって、前記足被覆具は、伸縮性生地で構成された、足底部、側辺部、踵部および前記爪先を覆う爪先部で形成され、足を出し入れするための開口部を、前記足底部に対して上下反対側に設け、前記爪先部は、爪先側が開口しているとともに、少なくとも第１足指（親指）を他の足指から分離して保持する第１足指保持部と、前記第１足指と第２足指との間に位置する前記伸縮性生地よりも硬い指しきり部とを備え、前記指しきり部は、足甲から爪先へ向けて幅が広くなる略三角柱の形状を備え、前記指しきり部は、非着用時の平面視において、前記指しきり部の爪先側の幅である略三角形の底辺の長さは前記第１足指保持部の幅に対して５０％以上であることを特徴とする。
【０００９】
好ましくは、前記足底部は、前記足底部の肌当接側に、肌側に膨らんだ弾性部材を備え、前記足被覆具は、足裏側から足甲側までに至る足の横断面を一周するように前記伸縮性生地よりも伸びにくい緊締部材をさらに備えるように構成することができる。
【発明の効果】
【００１０】
本発明の足被覆具によれば、踵が高く甲幅が狭い靴を履くことによって指間が圧迫されていても、指間を確実に広げたり足裏を刺激したりして足を十分にリラックスすることのできる足被覆具を提供することができる。また、本発明の足被覆具によれば、外反母趾を予防する足被覆具を提供することができる。
【図面の簡単な説明】
【００１１】
【図１】本発明の第１の実施の形態に係る足被覆具１００を足Ｆに着用した状態についての全体斜視図である。
【図２】図１に示した足被覆具１００についての（Ａ）着用時における矢示２Ａから見た底面図、（Ｂ）非着用時における矢示２Ｂから見た上面図、（Ｃ）足被覆具１００が備える指しきり部１３２を説明するための斜視図である。
【図３】本発明の第２の実施の形態に係る足被覆具２００を足Ｆに着用した状態についての全体斜視図である。
【図４】図３に示した足被覆具２００についての（Ａ）着用時における矢示４Ａから見た底面図、（Ｂ）非着用時における矢示４Ｂから見た上面図、（Ｃ）足被覆具２００が備える緊締部材２１０および弾性部材２２０を説明するための斜視図である。
【発明を実施するための形態】
【００１２】
＜第１の実施の形態＞
以下、本発明の第１の実施の形態に係る足被覆具１００を、図面に基づき詳しく説明する。なお、足被覆具の構造には様々なものがあり、本発明は特定の構造に限定されるものではなく、後述する特徴を備えたものであれば、どのような足被覆具の構造であっても、足被覆具を形成する生地の種類、生地の型紙およびその生地の接合方法がどのようなものであっても基本的には構わない。そのため、以下に示す足被覆具の構造自体は単なる例示でしかない。特に、本発明に係る足被覆具は、足の少なくとも一部を被覆する足被覆具であればよく、ソックス（靴下）、ソックスカバー、インナーソックス、ヌードソックス、カバーソックス等も含む点については、上述した通りである。
【００１３】
なお、この足被覆具を形成する生地について説明する。この足被覆具１００を着用すると足指を開いて足指を開放することができるという作用効果または外反母趾を予防するという作用効果を十分に発現させるためには、閉じている足指間をこの足被覆具１００により広げなければならずある程度の生地の強さが必要であることが多いので、この足被覆具１００に採用される生地は、限定されるものではないが、ある程度伸びにくく縮みにくく、ある程度強靱な生地が好ましい。
【００１４】
さらに、本実施の形態に係る足被覆具１００は、爪先と踵を含む足底とを少なくとも被覆する足被覆具であって、伸縮性生地で構成された、足底部１０４、側辺部１０２Ｂ、踵部１０２Ｃおよび爪先を覆う爪先部１０２Ａで形成され、足を出し入れするための開口部を足底部１０４に対して上下反対側に設けている。この開口部には伸縮性細幅生地１１４Ａが設けられている。また、この足被覆具１００は左右共用ではなく、左足用と右足用と
は左右対称の形状を備える。なお、図示しているのはこの足被覆具１００の右足用である。
【００１５】
そして、特徴的であるのは、爪先部１０２Ａは、爪先側が開口しているとともに、少なくとも第１足指（親指）を他の足指から分離して保持する第１足指保持部１２２と、第１足指と第２足指との間に位置する（この足被覆具１００を構成する）伸縮性生地よりも硬い指しきり部１３２とを備える点である。さらに、この指しきり部１３２は、足甲から爪先へ向けて幅が広くなる略三角柱の形状を備え、指しきり部１３２は、図２（Ｂ）に示すように、非着用時の平面視において、指しきり部１３２の爪先側の幅である略三角形の底辺の長さＷ（２）は第１足指保持部１２２の幅Ｗ（１）に対して５０％以上であることを特徴とする。
【００１６】
なお、本実施の形態に係る足被覆具１００は複数の生地（爪先部１０２Ａ、側辺部１０２Ｂおよび踵部１０２Ｃを形成する生地、足底部１０４を形成する生地の２つの生地）により構成されているが、生地の数およびこれらの生地どうしの接合方法については限定されるものではない。たとえば、３枚以上の生地で構成されていても構わないし、縫合により生地どうしを接合するものであっても構わないし、帯状部材の一面に接着材が塗布された接着テープを用いて加熱することにより接着材が溶融して生地を熱接着して生地どうしを接合するものであっても構わない。ここで、この接合には、熱圧着によるもの、熱溶着によるもの、熱融着によるもの等を含む。
【００１７】
さらに詳しくこの足被覆具１００について説明する。図１にこの足被覆具１００を足Ｆに着用した状態についての全体斜視図を、図２（Ａ）にこの足被覆具１００の着用時における図１に示す矢示２Ａから見た底面図を、図２（Ｂ）にこの足被覆具１００を足Ｆに着用していない状態であってこの足被覆具１００を平面に平置きした状態での平面視における図１に示す矢示２Ｂから見た上面図、図２（Ｃ）にこの足被覆具１００が備える指しきり部１３２を説明するための斜視図を、それぞれ示す。ここで、図１および図２（Ａ）は、着用者の足Ｆに足被覆具１００を着用している状態での斜視図および底面図であって、図２（Ｂ）は着用者の足Ｆに足被覆具１００を着用していない状態であって足被覆具１００自体を平面に平置きした状態での平面視での上面図である。
【００１８】
これらの図に示すように、この足被覆具１００は、着用者の足Ｆの爪先と踵を含む足底とを少なくとも被覆する足被覆具である。
この足被覆具１００は、爪先部１０２Ａ、足底部１０４、側辺部１０２Ｂおよび踵部１０２Ｃで形成されている。上述したように、足被覆具１００は、爪先部１０２Ａ、側辺部１０２Ｂおよび踵部１０２Ｃを形成する生地（この生地を生地１０２と記載する場合がある）および足底部１０４を形成する生地の２つの生地が縫合されたり接着されたりして接合されている。より詳しくは、爪先部１０２Ａ、側辺部１０２Ｂおよび踵部１０２Ｃを形成する生地１０２は（隠れて見えないために）図示しない１ヶ所の縦方向の接合線により接合されるとともに、この生地１０２と足底部１０４を形成する生地とが足底外周に沿った（限定されるものではないがここでは接合テープ１０４Ａを用いた）接合線により、それぞれ接合されている。
【００１９】
そして、足底部１０４に対して上下反対側に足を出し入れするための開口部が設けられている。この開口部の全周に亘って伸縮性細幅生地１１４Ａが設けられている。この足被覆具１００を履くときに伸縮性細幅生地１１４Ａを伸張させると開口部が大きく開くために履きやすく、かつ、この足被覆具１００を履いた後は伸縮性細幅生地１１４Ａを収縮して開口部が小さくなるために足被覆具１００が脱げることを防止することができる。なお、この伸縮性細幅生地１１４Ａは、開口部の上縁の全周ではなく上縁の一部に設けるようにしても構わないし、連続的ではなく断続的に設けるようにしても構わないし、開口部に設けなくても構わない。いずれであっても、この伸縮性細幅生地１１４Ａを設けると、この足被覆具１００が履きやすく、足被覆具１００が脱げたり位置ずれすることが少ない。この伸縮性細幅生地１１４Ａの一例として、ナイロン製テープを挙げることができる。また、この伸縮性細幅生地１１４Ａは（後述する伸縮性細幅生地１１４Ｂも）、開口部の生地の端部から糸が解けないように端面処理（ヘム処理）として、この開口部の全周の内側
（肌側）と外側（靴側）とに跨がって伸縮性細幅生地１１４Ａを設けることも好ましい。
【００２０】
そして、この足被覆具１００の特徴は、爪先部１０２Ａがその爪先側が開口しており（足爪を含めた足指先が足被覆具１００から露出しており）その開口部の周縁には全周に亘って伸縮性細幅生地１１４Ｂが設けられている。そして、少なくとも第１足指（親指）を他の足指から分離して保持する第１足指保持部１２２と、第１足指と第２足指との間に位置するこの足被覆具１００を形成する伸縮性生地（たとえば生地１０２）よりも硬い指しきり部１３２とを備える。なお、本発明に係る足被覆具は、少なくとも第１足指（親指）を他の足指から分離して保持するものであれば構わないが、本実施の形態に係る足被覆具１００は、第１足指（親指）を他の足指から分離して保持する第１足指保持部１２２と、第５足指（小指）を他の足指から分離して保持する第３足指保持部１２６と、その他の足指（人差し指、中指、薬指の３指）をまとめて保持する第２足指保持部１２４とを備える。
【００２１】
そして、指しきり部１３２は、足甲から爪先へ向けて幅が広くなる略三角柱の形状を備え、指しきり部１３２は、図２（Ｂ）に示す非着用時の平面視において、指しきり部１３２の爪先側の幅である略三角形の底辺の長さＷ（２）は第１足指保持部１２２の幅Ｗ（１）に対して５０％以上である。特に、各指間が圧迫されている場合にこの足被覆具１００を着用して各指間を確実に広げて十分にリラックスすることができるという作用効果または外反母趾を予防するという作用効果を確実に発現させるためには７５％以上であることが好ましい。また、指しきり部１３２の爪先側の幅である略三角形の底辺の長さＷ（２）についての第１足指保持部１２２の幅Ｗ（１）に対する比率（５０％以上、好ましくは７５％以上）の上限については特に限定されるものではないが、２００％以下であることが好ましい（Ｗ（２）≦Ｗ（１）×２）。
【００２２】
このような指しきり部１３２は、限定されるものではないが、生地１０２に覆われた略三角柱形状である、たとえば硬質スポンジ１３２Ｓにより実現することが考えられる。
また、この足被覆具１００は、第５足指（小指）を他の足指から分離して保持する第３足指保持部１２６と、その他の足指（人差し指、中指、薬指の３指）をまとめて保持する第２足指保持部１２４との間にも、小指しきり部１３４を備える。この小指しきり部１３４の幅は指しきり部１３２の幅Ｗ（２）よりも小さく、たとえば、爪先側開口部のこの小指しきり部１３４の位置で生地１０２を縫合するだけでも構わない。
【００２３】
以上のようにして、本発明の第１の実施の形態に係る足被覆具１００によると、少なくとも第１足指（親指）を他の足指から分離して保持する第１足指保持部１２２と、第１足指と第２足指との間に位置するこの足被覆具１００を形成する伸縮性生地（たとえば生地１０２）よりも硬い指しきり部１３２とを備える。そして、この指しきり部１３２は、足甲から爪先へ向けて幅が広くなる略三角柱の形状を備え、指しきり部１３２は、図２（Ｂ）に示す非着用時の平面視において、指しきり部１３２の爪先側の幅である略三角形の底辺の長さＷ（２）は第１足指保持部１２２の幅Ｗ（１）に対して５０％以上であるために、各指間が圧迫されている場合にこの足被覆具１００を着用して各指間を確実に広げて十分にリラックスすることができる。特に、足甲から爪先へ向けて幅が広くなる略三角柱の形状であるために、足被覆具１００を着用するに従って（親指を足被覆具１００の第１足指保持部１２２に挿入するとともに人差し指等を足被覆具１００の第２足指保持部１２４に挿入するに従って）次第に足指の間（ここでは親指と人差し指との間）を広げてゆくことができるので、足指の間を容易に広げることができる。さらに、親指を足被覆具１００の第１足指保持部１２２に挿入する程度、および／または、人差し指等を足被覆具１００の第２足指保持部１２４に挿入する程度を着用者自身が調整することができるので、足指の間をどの程度まで広げるのかを容易に調整することができる。
【００２４】
さらに、本発明の第１の実施の形態に係る足被覆具１００によると、このようなリラックス効果に加えて、以下のような外反母趾を予防するという作用効果を発現する。主として、女性がハイヒールのような踵が高く、先の細くなった靴を長時間履いている場合に、足の親指が外側（小指）の方に曲がる（外反する）病態として外反母趾が広く知られている。この外反母趾は、足の甲の内側にある第一中足骨が内反し、親指が外反すると親指の
付け根の関節（第一ＭＴＰ関節）が突出して、靴を履いた場合に突出した部分が靴にこすれて疼痛を生じる。このような外反母趾の初期病態においては、本発明の第１の実施の形態に係る足被覆具１００が備える指しきり部１３２により第１足指（親指）と第２足指（人差し指）との間を確実かつ十分に広げることができるので、外側（小指）の方に曲がった（または曲がる傾向がある）親指を反対側に反らせることができるために、外反母趾の病態が進行して手術等をしなければならない事態を回避することができる。このようにして、（結果的に）本発明の第１の実施の形態に係る足被覆具１００によると、外反母趾を予防することができる。
【００２５】
＜第２の実施の形態＞
次に、本発明の第２の実施の形態に係る足被覆具２００を、図面に基づき詳しく説明する。なお、この足被覆具２００は、上述した第１の実施の形態に係る足被覆具１００の構成に加えて、緊締部材２１０および弾性部材２２０を備える点のみが異なる。それ以外の構造であって第１の実施の形態と同じ構造については第１の実施の形態と同じ符号を付している。それらについての説明は、上述した説明と重複するために、ここでは繰り返して説明しない。
【００２６】
本発明の第２の実施の形態に係る足被覆具２００について説明する。図３に（上述した図１に対応する図であって）この足被覆具２００を足Ｆに着用した状態についての全体斜視図を、図４（Ａ）に（上述した図２（Ａ）に対応する図であって）この足被覆具２００の着用時における図３に示す矢示４Ａから見た底面図を、図４（Ｂ）に（上述した図２（Ｂ）に対応する図であって）この足被覆具２００を足Ｆに着用していない状態であってこの足被覆具２００を平面に平置きした状態での平面視における図３に示す矢示４Ｂから見た上面図、図４（Ｃ）にこの足被覆具２００が備える緊締部材２１０および弾性部材２２０を説明するための斜視図を、それぞれ示す。ここで、図３、図４（Ａ）および図４（Ｃ）は、着用者の足Ｆに足被覆具２００を着用している状態での斜視図および底面図であって、図４（Ｂ）は着用者の足Ｆに足被覆具２００を着用していない状態であって足被覆具２００自体を平面に平置きした状態での平面視での上面図である。
【００２７】
そして、特徴的であるのは、上述した第１の実施の形態に係る足被覆具１００の特徴に加えて、この足被覆具２００の足底部１０４は、足底部１０４の肌当接側に、肌側に膨らんだ弾性部材２２０をさらに備えるとともに、足被覆具２００は、足裏側から足甲側までに至る足の横断面を一周するように（この足被覆具１００を構成する）伸縮性生地よりも伸びにくい緊締部材２１０を（開口部を横断するようにまたは開口部を横断することなく）さらに備えることを特徴とする。なお、緊締部材２１０および弾性部材２２０のいずれかだけを備えるものであっても構わない。
【００２８】
緊締部材２１０は、その一例として幅広ゴムバンドがあげられて、生地１０２に接合されて、足甲から足側を経て足裏を回って、足をその足幅方向を強く締め付ける。また、弾性部材２２０は、その一例として硬質スポンジやシリコーンゴム等があげられて、足底部１０４の生地と被覆生地２２２とに挟まれてその位置がずれないように設けられている。
ここで、弾性部材２２０の位置は、足被覆具２００においては着用者の足Ｆにおける踵に対応する位置であるがこの位置に限定されるものではなく、たとえば、着用者の足Ｆにおける土踏まずに対応する位置であっても構わない。特に、この足被覆具２００により後述する外反母趾を予防するという観点では、弾性部材２２０の位置は足指の付け根に十分に作用するように設けることが好ましい。
【００２９】
また、緊締部材２１０の幅Ｗ（３）および緊締部材２１０の開口部における位置は、履くときおよび脱ぐときに緊締部材２１０が邪魔にならず、かつ、緊締部材２１０により弾性部材２２０が足裏に強く圧接することのできる、幅および開口部における位置であることが好ましい。特に、この足被覆具２００により後述する外反母趾を予防するという観点では、緊締部材２１０の幅Ｗ（３）および緊締部材２１０の開口部における位置は足指の付け根に十分に作用するように設けることが好ましい。
【００３０】
以上のようにして、本発明の第２の実施の形態に係る足被覆具２００によると、上述した第１の実施の形態に係る足被覆具１００の作用効果に加えて、その足底部１０４の肌当
接側に、肌側に膨らんだ弾性部材２２０をさらに備え、足裏側から足甲側までに至る足の横断面を一周するように（この足被覆具２００を構成する）伸縮性生地よりも伸びにくい緊締部材２１０を（開口部を横断するようにまたは開口部を横断することなく）さらに備えるために、緊締部材２１０により弾性部材２２０が足裏に強く圧接されて、弾性部材２２０が足裏を刺激して足を十分にリラックスさせることができる。
【００３１】
特に、上述した第１の実施の形態における外反母趾を予防するという作用効果については、足被覆具１００が備えずこの足被覆具２００が備える緊締部材２１０を足指の付け根に作用するように設けることにより、この緊締部材２１０および指しきり部１３２により第１足指（親指）と第２足指（人差し指）との間を確実かつ十分に広げて親指を小指とは反対側に反らせることができるので、より効果的に外反母趾を予防することができる。さらに、この緊締部材２１０に加えて／替えて足被覆具１００が備えずこの足被覆具２００が備える弾性部材２２０を足指の付け根に十分に作用するように設けることにより、この弾性部材２２０および指しきり部１３２により第１足指（親指）と第２足指（人差し指）との間を確実かつ十分に広げて親指を小指とは反対側に反らせることができるので、より効果的に外反母趾を予防することができる。
【００３２】
なお、指しきり部１３２、緊締部材２１０および弾性部材２２０により、第１足指（親指）と第２足指（人差し指）との間を確実かつ十分に広げて親指を小指とは反対側に反らせることができるので、さらに効果的に外反母趾を予防することができることになる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３３】
本発明は、自宅等で着用して足をリラックスさせることのできる足被覆具に好適であり、着用すると足指を開放するとともに足裏を刺激して足をリラックスさせることのできる点または外反母趾を予防できる点で特に好ましい。
【符号の説明】
【００３４】
１００、２００  足被覆具
１０２  生地
１０２Ａ  爪先部
１０２Ｂ  側辺部
１０２Ｃ  踵部
１０４  足底部
１１４Ａ、１１４Ｂ  伸縮性細幅生地
１２２  第１足指保持部
１３２  指しきり部
Ｆ  足
【図１】
2020078444.tif 000003
【図２】
2020078444.tif 000004
【図３】
2020078444.tif 000005
【図４】
2020078444.tif 000006